(57)【要約】【課題】    二次電池の金属の接続点を保護するとともに、電池の電気の残量をすばやく確認することができる携帯式電子製品の二次電池を提供する。【解決手段】  電気回路を内部に設けたケースと、該ケースに形成された空間とを含んでなり、空間には電子製品の使用規格に合わせた電池を設けるとともに、電池の金属の接触点を被覆して保護し、電気回路が電池の金属の接触点に接触するために供し、電池の電気の残量が予め設定された時期まで使用し、機能することができると同時にすばやく簡単に電池の電気の残量を確認することができる携帯式の電子製品に使用する電池を携帯する。【選択図】  図１
0003143535.tif 000002
【実用新案登録請求の範囲】
【請求項１】
電気回路を内部に設けたケースと、該ケースに形成された空間とを含んでなり、
該空間には電子製品の使用規格に合わせた電池を設けるとともに、電池の金属の接触点を被覆して保護し、該電気回路が電池の金属の接触点に接触するために供し、電池の電気の残量が予め設定された時期まで使用し、機能することができると同時にすばやく簡単に電池の電気の残量を確認することができる携帯式の電子製品に使用する電池を携帯することを特徴とする二次電池の携帯ケース。
【請求項２】
前記電気回路が照明の電気回路であることを特徴とする請求項１に記載の二次電池の携帯ケース。
【請求項３】
前記証明の電気回路がライト制御手段を接続して設け、照明のライトを点滅させることができる構造からなることを特徴とする請求項２に記載の二次電池の携帯ケース。
【請求項４】
前記電気回路が電気の残量を伝送する電気回路であることを特徴とする請求項１に記載の二次電池の携帯ケース。
【請求項５】
前記電気回路がブザーの電気回路であることを特徴とする請求項１に記載の二次電池の携帯ケース。
【請求項６】
前記電気回路がラジオの電気回路であることを特徴とする請求項１に記載の二次電池の携帯ケース。
【考案の詳細な説明】
【技術分野】
【０００１】
この考案は、携帯式電子製品の二次電池に関し、特に携帯して使用する電子製品の二次電池に関する。
【背景技術】
【０００２】
近年、携帯電話、デジタルカメラ、ノートブック型コンピュータなど携帯式の電子製品のコンピュータ産業の発展は目覚ましく、製品の種類も豊富である。
【０００３】
しかしながら、これらの製品のデザインや外観などの要素により、生産者は往々にして特殊な規格の二次電池を製造しなければならない。
【０００４】
例えば携帯電話は、単一型の特殊な二次電池（ｓｅｃｏｎｄａｒｙ  ｂａｔｔｅｒｙ）、または充電式の電池（ｒｅｃｈａｒｇｅａｂｌｅ  ｂａｔｔｅｒｙ）と呼ばれる電池を具えて使用する。ノートブック型コンピューターやデジタルカメラも同様である。
【０００５】
前述の二次電池は、専用の携帯式電子製品にのみ使用することができる。該電池製品の使用者も需要に応じて専用の二次電池を再度購入し、二つ以上の二次電池を製品に合わせて使用するか、もう一つの二次電池と交換しながら使用する方法で、ノートブック型コンピュータ、携帯電話、デジタルカメラなど携帯式電子製品の使用時間を延長する。
【０００６】
使用者がもう一つの二次電池を準備して交換しながら使用する場合、携帯において問題が発生する。前述の二次電池は金属の接触部が外側に露出しているため、携帯途中で常に導電物質に接触するため、ショートし易くなる。
【０００７】
例えば、携帯電話の電池を皮製の袋の中に入れると、導電性の財布、或いはカギに接触してショートする。よって、軽い状況では電池が損壊し、深刻な状況ではショートして二次電池が発火、燃焼することがある。
【０００８】
二次電池を準備用に携帯する場合、使用者は電池を一定期間バッグなどに入れておいた後に使用することになる。放置していた時間が長くなると、使用者は準備用に携帯したもう一つの電池の電気の残量を忘れ易くなる。
【０００９】
電気の残量がわからない場合、準備用に携帯した電池を十分に充電した後、携帯式の電子製品の二次電池の交換用に準備して使用するか、或いは使用した後、電気残量が不足した充電待ちの二次電池として携帯式の電子製品本体から取り外して交換する。
【００１０】
電池の電気残量は、電池の外側から直接目で確認することができない。
【００１１】
電池の電気の残量を確認する場合、二次電池を携帯式の電子製品の内部に設けて始動させた後、電子製品を再度立ち上げなければ、電子製品本体の表示部分で二次電池の電気の残量を確認することができない。
【００１２】
例えば、携帯電話は電池を携帯電話の内部に設けて、携帯電話の電源を入れて、開始画面が携帯電話の基地を探するのを待たなければ、電池の電気の残量を確認することができない。
【００１３】
使用者が二次電池の電気残量を確認したい場合には一連の手続きを必要とするため、多くの時間を消耗し、非常に不便である。
【００１４】
また、電池を交換した後、電気残量が不足した充電待ちの二次電池を十分に充電された二次電池と誤って記憶していると、使用上不便になる。前述の場合、ノートブック型コンピュータ、携帯電話、デジタルカメラなどの携帯式の電子製品の使用に電池をすぐに提供することができないため、需要に合わせて使用時間を延長することができない。
【００１５】
ノートブック型コンピュータ、携帯電話、デジタルカメラなどの携帯式の電子製品はいずれも高価な電子製品に属する。よって、合わせて使用する二次電池もほとんどがリチウム、或いはリチウムイオンからなる何度も充電することができる。
【００１６】
また、電気の容量が大きい電池モジュールも市場で販売されている他の電池に比べて高価である。
【００１７】
しかしながら、ユーザーは、ノートブック型コンピュータ、携帯電話、デジタルカメラなどの母体に使用する二次電池が損壊した場合に備え、経済的な利益を考慮して、二次電池をもう一つ購入する。
【００１８】
よって、ユーザーはノートブック型コンピュータ、携帯電話、デジタルカメラなどを二次電池が損壊したためからといって軽々しく放置することがない。
【００１９】
さらに、ノートブック型コンピュータ、携帯電話、デジタルカメラなどの母体が損壊したが、合わせて使用する二次電池が従来通り使用できても、ユーザーは、二次電池が使用できるからといって、該電池の使用が可能なノートブック型コンピュータ、携帯電話、デジタルカメラなどを再度購入することはなく、ユーザーの多くは使用可能な二次電池を放棄する。
【００２０】
よって、特殊な規格の二次電池の使用効率が無駄になるとともに、ゴミも増加する。
【００２１】
従来のノートブック型コンピュータ、携帯電話、デジタルカメラなど携帯式の電子製品の二次電池の携帯装置は、専用の二次電池携帯装置で、単純に携帯する機能だけで、ほとんどの製品の包装と同じで作用も少なく、二次電池の接触点を保護する以外、すばやく二次電池の電気残量を知ることはできない。
【００２２】
ノートブック型コンピュータ、携帯電話、デジタルカメラなどが損壊すると、ノートブック型コンピュータ、携帯電話、デジタルカメラなどの二次電池と同様、放棄して使用しないだけで、使用上にも廃棄物のゴミの総量を増加するだけである。
【００２３】
従来のデザインでは照明などの電気回路を携帯電話の二次電池の電池本体に合わせて設けることができるが、二次電池の体積を増加させて、製品のデザインを壊して美観に影響を与えるだけでなく、電子製品の流行である軽量薄型、短小型に背く。
【００２４】
同時に、ユーザーは二つ以上の二次電池を所有し、それぞれの二次電池はいずれも個別に電気回路を配置する必要があるため、設備が重複して無駄になる。
【考案の開示】
【考案が解決しようとする課題】
【００２５】
この考案は、二次電池の金属の接続点を保護するとともに、電池の電気の残量をすばやく確認することができる携帯式電子製品の二次電池を提供することを課題とする。
【課題を解決するための手段】
【００２６】
そこで、本考案者は従来の技術に見られる欠点に鑑みて鋭意研究を重ねた結果、電気回路を内部に設けたケースと、該ケースに形成された空間とを含んでなり、
該空間には電子製品の使用規格に合わせた電池を設けるとともに、電池の金属の接触点を被覆して保護し、該電気回路が電池の金属の接触点に接触するために供し、電池の電気の残量が予め設定された時期まで使用し、機能することができると同時にすばやく簡単に電池の電気の残量を確認することができる携帯式の電子製品に使用する電池を携帯する二次電池の携帯ケースによって課題を解決できる点に着眼し、かかる知見に基づいて本考案を完成させた。
【００２７】
以下、この考案について具体的に説明する。
請求項１に記載の電気回路を内部に設けたケースと、該ケースに形成された空間とを含んでなり、
該空間には電子製品の使用規格に合わせた電池を設けるとともに、電池の金属の接触点を被覆して保護し、該電気回路が電池の金属の接触点に接触するために供し、電池の電気の残量が予め設定された時期まで使用し、機能することができると同時にすばやく簡単に電池の電気の残量を確認することができる携帯式の電子製品に使用する電池を携帯する。
【００２８】
請求項２に記載の二次電池の携帯ケースは、請求項１における電気回路が照明の電気回路である。
【００２９】
請求項３に記載の二次電池の携帯ケースは、請求項２における証明の電気回路がライト制御手段を接続して設け、照明のライトを点滅させることができる構造からなる。
【００３０】
請求項４に記載の二次電池の携帯ケースは、請求項１における電気回路が電気の残量を伝送する電気回路である。
【００３１】
請求項５に記載の二次電池の携帯ケースは、請求項１における電気回路がブザーの電気回路である。
【００３２】
請求項６に記載の二次電池の携帯ケースは、請求項１における電気回路がラジオの電気回路である。
【考案の効果】
【００３３】
この考案による二次電池の携帯ケースは、二次電子を保護して電池のショートや損壊を防ぎ、二次電池の使用寿命を延ばすという効果を有する。
【００３４】
また、この考案による二次電池の携帯ケースは、二次電池の電気の残量をすぐに確認できて使用上便利であるという効果を有する。
【考案を実施するための最良の形態】
【００３５】
この考案は、二次電池の金属の接続点を保護するとともに、電池の電気の残量をすばやく確認することができる携帯式電子製品の二次電池であって、電気回路を内部に設けたケースと、該ケースに形成された空間とを含んでなり、
該空間には電子製品の使用規格に合わせた電池を設けるとともに、電池の金属の接触点を被覆して保護し、該電気回路が電池の金属の接触点に接触するために供し、電池の電気の残量が予め設定された時期まで使用し、機能することができると同時にすばやく簡単に電池の電気の残量を確認することができる携帯式の電子製品に使用する電池を携帯する二次電池の携帯ケースの構造と特徴を詳述するために具体的な実施例を挙げ、図示を参照にして以下に説明する。
【実施例】
【００３６】
図１は、この考案の電池携帯ケースの実施形態を示したものである。図面によれば、該携帯ケースは、内部に電気回路を設けたケース１０と、該ケース１０の内部に形成されたコ型の空間１４と、を含んでなる。
【００３７】
該空間１４は、長さ、幅、高さなどの細かい部分が携帯電話（或いはノートブック型コンピュータ、或いはデジタルカメラ）専用の二次電池に合わせて設計され、これらの二次電池を設けるために供する。
【００３８】
また、二次電池の接触点が被覆され、接触点が外部に露出しない。
【００３９】
ケース１０の蓋１１は設けなくてもよいが、この実施形態では美観に影響を与えないため蓋１１を設ける。
【００４０】
電気回路は照明の電気回路で、照明の電気回路の接触端子１２ａは使用上、二次電池に接触する。照明の電気回路は、接続コード１１ａを介して二次電池の電気量を照明の電気回路の照明部材１０ａに伝送する。
【００４１】
照明の電気回路のスイッチ１３ａは、ユーザーに二次電池の電気量のあるなしで径路を制御させることができるもので、照明の電気回路の使用を制御するために供し、照明の電気回路のスイッチ１３ａを操作するだけでよい。
【００４２】
二次電池をセットすると、ユーザーは照明の電気回路の照明部材１０ａの反応で二次電池の電気量の状況を確認することができる。
【００４３】
該照明の電気回路はライト制御手段（図示しない）を接続して設け、照明部材１０ａの点灯時に、点滅させることができる。よって、照明の電気回路でライトを点滅させて状況を警告することができる。
【００４４】
図２は、この考案の他の実施形態を示したものである。図面によれば、該携帯ケースは、電気回路を内部に設けたケース１０と、該ケース１０の内部に形成されたコ型の空間１４と、を含んでなる。
【００４５】
該空間１４の長さ、幅、高さなどの細かい部分は、携帯電話（或いはノートブック型コンピュータ、或いはデジタルカメラ）専用の二次電池に合わせて設計され、これらの二次電池を設けるために供する。
【００４６】
また、二次電池の接触点が被覆され、接触点が外部に露出しない。
【００４７】
ケース１０の蓋１１は設けなくてもよいが、この実施形態では美観に影響を与えないため蓋１１を設ける。
【００４８】
電気回路は、電気の残量を伝送する電気回路であって、該電気回路の接触端子１２ｂは使用上、二次電池に接触する。
【００４９】
該電気回路は、接続コード１１ｂを通して、二次電池の電気の残量が電気回路の出力孔１０ｂから伝送し、ユーザーは電気回路の出力孔１０ｂに接続する簡単な電子設備（照明、ブザー、ラジオなど）で、内部に設けた二次電池の電気の残量を確認することができる。
【００５０】
該電気回路は電圧を安定させるか、或いは電圧を上げ下げする電気回路を含んでなるが、これは重要ではないので、ここでは詳述しない。
【００５１】
図３は、この考案のその他の実施形態を示したものである。図面によれば、該携帯ケースは、電気回路を内部に設けたケース１０と、該ケース１０の内部に形成されたコ型の空間１４と、を含んでなる。
【００５２】
該空間１４の長さ、幅、高さなどの細かい部分は、携帯電話（或いはノートブック型コンピュータ、或いはデジタルカメラ）専用の二次電池に合わせて設計され、これらの二次電池を設けるために供する。
【００５３】
また、二次電池の接触点が被覆され、接触点が外部に露出しない。
【００５４】
ケース１０の蓋１１は設けなくてもよいが、この実施形態では美観に影響を与えないため蓋１１を設ける。
【００５５】
該電気回路はブザーの電気回路であって、該電気回路の接触端子１２ｃは使用上、二次電池に接触する。
【００５６】
該電気回路の接続コード１１ｃは二次電池の電気の残量をブザーの電気回路の音声発生部材１０ｃに伝送する。
【００５７】
ブザーの電気回路のスイッチ１３ｃは、ユーザーに二次電池の電気の残量があるかないかで径路にするかどうか制御させることができ、ブザーの電気回路の使用を制御するために供する。また、電気回路のスイッチ１３ｃを操作するだけでよい。
【００５８】
ユーザーはブザーの電気回路の音声発生部材１０ｃの反応で二次電池の電気の残量を確認することができる。
【００５９】
図４は、この考案の別の実施形態を示したものである。図面によれば、該携帯ケースは、電気回路を内部に設けたケース１０と、該ケース１０の内部に形成されたコ型の空間１４と、を含んでなる。
【００６０】
該空間１４の長さ、幅、高さなどの細かい部分は、携帯電話（或いはノートブック型コンピュータ、或いはデジタルカメラ）専用の二次電池に合わせて設計され、これらの二次電池を設けるために供する。
【００６１】
また、二次電池の接触点が被覆され、接触点が外部に露出しない。
【００６２】
ケース１０の蓋１１は設けなくてもよいが、この実施形態では美観に影響を与えないため蓋１１を設ける。
【００６３】
該電気回路はラジオの電気回路であって、該電気回路の接触端子１２ｄは使用上、二次電池に接触する。
【００６４】
該電気回路の接触端子１２ｄは、二次電池の電気の残量をラジオの電気回路１０ｄに伝送する。
【００６５】
該電気回路１０ｄのスイッチ１３ｄは、ユーザーに二次電池の電気の残量があるかないかで径路にするかどうか制御させることができ、ラジオの電気回路１０ｄの使用を制御するために供する。また、電気回路のスイッチ１３ｄを操作するだけでよい。
【００６６】
ユーザーはラジオの電気回路１０ｄの反応で二次電池の電気の残量を確認することができ、ラジオの電気回路１０ｄの細かい部分については、重要ではないため、ここでは詳述しない。
【００６７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００６８】
【図１】この考案の二次電池の携帯ケースを示した説明図である。
【図２】この考案の二次電池の携帯ケースの他の実施形態を示した説明図である。
【図３】この考案の二次電池の携帯ケースのその他の実施形態を示した説明図である。
【図４】この考案の二次電池の携帯ケースの別の実施形態を示した説明図である。
【符号の説明】
【００６９】
１０       ケース
１０ａ     照明部材
１０ｂ     出力孔
１０ｃ     音声発生部材
１０ｄ     ラジオの電気回路
１１       蓋
１１ａ     接続コード
１１ｂ     接続コード
１１ｃ     接続コード
１２ａ     接触端子
１２ｂ     接触端子
１２ｃ     接触端子
１２ｄ     接続端子
１３ａ     スイッチ
１３ｃ     スイッチ
１３ｄ     スイッチ
１４       空間
【図１】
0003143535.tif 000003
【図２】
0003143535.tif 000004
【図３】
0003143535.tif 000005
【図４】
0003143535.tif 000006